(57)【要約】【課題】  製造コストを増大させることなく、被撮影者がブレの状態を確実に把握することができる撮像装置を提供する。【解決手段】  デジタルカメラ２は、被写体に撮影補助光を照射する照明装置１４と、照明装置の動作を制御する照明制御回路５７と、撮影時の手ブレの程度を定量的に検出する角速度センサ５１と、画像データに対してブレ補正を施すブレ補正回路５６と、角速度センサ５１で検出した手ブレの程度が、ブレ補正回路５６でブレ補正を施すことが可能な範囲にあるか否かを判定するブレ判定回路５５とを備える。照明制御回路５７は、レリーズボタン１５が半押しされたことを契機に、角速度センサ５１で検出した手ブレの程度に応じた表示パターンで、照明装置１４のＬＥＤ１３を点灯させる。【選択図】        図３
2007028546.tif 000002
【特許請求の範囲】
【請求項１】
被写体光を撮像して得られた撮像信号をデジタルの画像データに変換し、この画像データを記憶媒体に記憶する撮像装置において、
前記被写体に撮影補助光を照射する照明手段と、
前記照明手段の動作を制御する照明制御手段と、
撮影時の手ブレの程度を定量的に検出する手ブレ検出手段と、
前記画像データに対してブレ補正を施すブレ補正手段と、
前記手ブレ検出手段で検出した手ブレの程度が、前記ブレ補正手段でブレ補正を施すことが可能な範囲にあるか否かを判定するブレ判定手段とを備え、
前記照明制御手段は、前記被写体の撮影前に、前記照明手段にて前記ブレ判定手段の判定結果を表示させることを特徴とする撮像装置。
【請求項２】
前記照明手段は、白色光を発する発光素子が複数配列されてなることを特徴とする請求項１に記載の撮像装置。
【請求項３】
前記照明制御手段は、前記手ブレ検出手段で検出した手ブレの程度に応じて、前記照明手段による前記判定結果の表示パターンを変化させることを特徴とする請求項１または２に記載の撮像装置。
【請求項４】
少なくとも露出調整を含む撮影準備処理を半押しにより行わせ、前記画像データの前記記憶媒体への記憶を全押しにより行わせるレリーズ操作手段を備え、
前記照明制御手段は、前記レリーズ操作手段が半押しされたときにのみ、前記照明手段による前記判定結果の表示を行わせることを特徴とする請求項１ないし３のいずれかに記載の撮像装置。
【請求項５】
被写体光を撮像して得られた撮像信号をデジタルの画像データに変換し、この画像データを記憶媒体に記憶する撮像装置において、
前記被写体に撮影補助光を照射する照明手段と、
前記照明手段の動作を制御する照明制御手段と、
撮影時の手ブレの程度を定量的に検出する手ブレ検出手段と、
前記画像データに対してブレ補正を施すブレ補正手段と、
前記手ブレ検出手段で検出した手ブレの程度から、前記画像データで表される画像に発生する像ブレの程度を算出する像ブレ算出手段と、
前記像ブレ算出手段で算出した像ブレの程度が、前記ブレ補正手段でブレ補正を施すことが可能な範囲にあるか否かを判定するブレ判定手段とを備え、
前記照明制御手段は、前記被写体の撮影後に、前記照明手段にて前記ブレ判定手段の判定結果を表示させることを特徴とする撮像装置。
【請求項６】
前記照明手段は、白色光を発する発光素子が複数配列されてなることを特徴とする請求項５に記載の撮像装置。
【発明の詳細な説明】
【技術分野】
【０００１】
本発明は、ブレ補正機能を備えた撮像装置に関する。
【背景技術】
【０００２】
撮像装置として、ＣＣＤなどの固体撮像素子で撮像した被写体像をデジタルの画像データに変換し、内蔵メモリやメモリカードなどの記憶媒体に記憶するデジタルカメラやカメラ付き携帯電話が普及している。このような撮像装置には、撮影時の手ブレを検出して、画像データに対してブレ補正を施す機能を有するものがある（特許文献１参照）。この特許文献１には、ブレ補正機能で補正しきれない程の手ブレが発生した場合など、ブレ補正が不要と判定されたことを、警告音や所定の表示によって撮影者に告知する旨が記載されている。
【特許文献１】特開２００４−２０５８０２号公報
【発明の開示】
【発明が解決しようとする課題】
【０００３】
特許文献１に記載のブレ補正カメラのように、ブレ補正の要・不要を撮影者にのみ告知するようにした場合、例えば、カメラの操作に不慣れな初心者に撮影を依頼したときに、告知を無視して撮影を行ってしまうおそれがあった。また、被撮影者からは告知の有無を確認することが難しく、被撮影者が撮影者に注意を促すことができないという問題があった。
【０００４】
上記の問題を解決するための方法として、被撮影者が視認しやすい箇所に、ブレ補正の要・不要を告知する表示装置を設けることが考えられるが、新規部品を追加することより製造コストの増大を招くという別の問題が生じてしまう。
【０００５】
本発明は、上記課題を鑑みてなされたものであり、製造コストを増大させることなく、被撮影者がブレの状態を確実に把握することができる撮像装置を提供することを目的とする。
【課題を解決するための手段】
【０００６】
上記目的を達成するために、本発明は、被写体光を撮像して得られた撮像信号をデジタルの画像データに変換し、この画像データを記憶媒体に記憶する撮像装置において、前記被写体に撮影補助光を照射する照明手段と、前記照明手段の動作を制御する照明制御手段と、撮影時の手ブレの程度を定量的に検出する手ブレ検出手段と、前記画像データに対してブレ補正を施すブレ補正手段と、前記手ブレ検出手段で検出した手ブレの程度が、前記ブレ補正手段でブレ補正を施すことが可能な範囲にあるか否かを判定するブレ判定手段とを備え、前記照明制御手段は、前記被写体の撮影前に、前記照明手段にて前記ブレ判定手段の判定結果を表示させることを特徴とする。
【０００７】
前記照明手段は、白色光を発する発光素子が複数配列されてなることが好ましい。
【０００８】
前記照明制御手段は、前記手ブレ検出手段で検出した手ブレの程度に応じて、前記照明手段による前記判定結果の表示パターンを変化させることが好ましい。
【０００９】
少なくとも露出調整を含む撮影準備処理を半押しにより行わせ、前記画像データの前記記憶媒体への記憶を全押しにより行わせるレリーズ操作手段を備え、前記照明制御手段は、前記レリーズ操作手段が半押しされたときにのみ、前記照明手段による前記判定結果の表示を行わせることが好ましい。
【００１０】
また、本発明は、被写体光を撮像して得られた撮像信号をデジタルの画像データに変換し、この画像データを記憶媒体に記憶する撮像装置において、前記被写体に撮影補助光を照射する照明手段と、前記照明手段の動作を制御する照明制御手段と、撮影時の手ブレの程度を定量的に検出する手ブレ検出手段と、前記画像データに対してブレ補正を施すブレ補正手段と、前記手ブレ検出手段で検出した手ブレの程度から、前記画像データで表される画像に発生する像ブレの程度を算出する像ブレ算出手段と、前記像ブレ算出手段で算出した像ブレの程度が、前記ブレ補正手段でブレ補正を施すことが可能な範囲にあるか否かを判定するブレ判定手段とを備え、前記照明制御手段は、前記被写体の撮影後に、前記照明手段にて前記ブレ判定手段の判定結果を表示させることを特徴とする。
【００１１】
前記照明手段は、白色光を発する発光素子が複数配列されてなることが好ましい。
【発明の効果】
【００１２】
本発明の撮像装置によれば、被写体に撮影補助光を照射する照明手段と、照明手段の動作を制御する照明制御手段と、撮影時の手ブレの程度を定量的に検出する手ブレ検出手段と、画像データに対してブレ補正を施すブレ補正手段と、手ブレ検出手段で検出した手ブレの程度が、ブレ補正手段でブレ補正を施すことが可能な範囲にあるか否かを判定するブレ判定手段とを備え、照明制御手段は、被写体の撮影前に、照明手段にてブレ判定手段の判定結果を表示させるので、製造コストを増大させることなく、被撮影者がブレの状態を確実に把握することができる。
【００１３】
また、被写体に撮影補助光を照射する照明手段と、照明手段の動作を制御する照明制御手段と、撮影時の手ブレの程度を定量的に検出する手ブレ検出手段と、画像データに対してブレ補正を施すブレ補正手段と、手ブレ検出手段で検出した手ブレの程度から、画像データで表される画像に発生する像ブレの程度を算出する像ブレ算出手段と、像ブレ算出手段で算出した像ブレの程度が、ブレ補正手段でブレ補正を施すことが可能な範囲にあるか否かを判定するブレ判定手段とを備え、照明制御手段は、被写体の撮影後に、照明手段にてブレ判定手段の判定結果を表示させるので、製造コストを増大させることなく、被撮影者がブレの状態を確実に把握することができる。
【発明を実施するための最良の形態】
【００１４】
図１および図２において、本発明の第１の実施形態を適用したデジタルカメラ２の前面には、撮像レンズ１０を保持するレンズ鏡胴１１が組み込まれており、電子ビューファインダを構成するファインダ対物窓１２が設けられている。また、白色光を発する９個のＬＥＤ１３が格子状に配列されてなり、ストロボ光や赤目軽減光などの撮影補助光を被写体に照射する照明装置１４が設けられている。この照明装置１４は、詳しくは後述するように、ブレの状態を表示する表示装置としても機能する。
【００１５】
デジタルカメラ２の上面には、レリーズボタン１５、およびモードダイヤル１６が設けられており、側面には、メモリカード５０（図３参照）が着脱自在に装填されるメモリカードスロットを覆う蓋１７が設けられている。
【００１６】
デジタルカメラ２の背面には、電子ビューファインダを構成するファインダ接眼窓１８、液晶表示器（ＬＣＤ）１９、および操作部２０が設けられている。ＬＣＤ１９は、撮影した画像やいわゆるスルー画像、各種メニュー画面を表示する。操作部２０は、デジタルカメラ２の電源をオン・オフするための電源ボタン、撮像レンズ１０のズームレンズをワイド側、テレ側に変倍するズーム操作ボタン、ＬＣＤ１９にメニュー画面を表示させる際や、選択内容を決定する際に操作されるメニューボタン、およびメニュー画面内でカーソルを移動させる十字キーなどから構成される。
【００１７】
デジタルカメラ２では、静止画撮影を行う静止画撮影モード、動画撮影を行う動画撮影モード、撮影した画像をＬＣＤ１９に表示する再生モード、および各種設定を行う設定モードが選択可能となっている。これらのモードの切り替えは、モードダイヤル１６を回動操作させることで行われる。なお、動画撮影モードでは、動画の撮影とともに、図示しないマイクロホンを介して周囲の音声が収録される。
【００１８】
レリーズボタン１５は、２段階押しのスイッチとなっている。ＬＣＤ１９による被写体のフレーミングの後に、レリーズボタン１５を軽く押圧（半押し）すると、自動露出調整（ＡＥ）、自動焦点調整（ＡＦ）などの各種撮影準備処理が施される。この状態でレリーズボタン１５をもう１度強く押圧（全押し）すると、撮影準備処理が施された１画面分の撮像信号が画像データに変換された後、後述する画像処理および圧縮処理が施され、メモリカード５０に記憶される。
【００１９】
デジタルカメラ２の電気的構成を示す図３において、撮像レンズ１０には、レンズモータ３０が接続されている。また、絞り３１には、アイリスモータ３２が接続されている。これらのモータ３０、３２はステッピングモータからなり、ＣＰＵ３３に接続されたモータドライバ３４、３５から送信される駆動パルスにより動作制御され、レリーズボタン１５の半押しに伴う撮影準備処理を行う。
【００２０】
レンズモータ３０は、ズーム操作ボタンの操作に連動して、撮像レンズ１０のズームレンズをワイド側、あるいはテレ側に移動させる。また、ズームレンズの変倍などに応じて撮像レンズ１０のフォーカスレンズ（図示せず）を移動させ、撮影条件が最適となるように焦点調整を行う。アイリスモータ３２は、絞り３１を動作させ、露出調整を行う。
【００２１】
撮像レンズ１０の背後には、撮像レンズ１０を透過した被写体像が撮像されるＣＣＤ３６が配置されている。ＣＣＤ３６には、ＣＰＵ３３によって制御されるタイミングジェネレータ（ＴＧ）３７が接続され、このＴＧ３７から入力されるタイミング信号（クロックパルス）により、電子シャッタのシャッタ速度が決定される。
【００２２】
ＣＣＤ３６から出力された撮像信号は、相関二重サンプリング回路（ＣＤＳ）３８に入力される。ＣＤＳ３８は、ＣＣＤ３６の各セルの蓄積電荷量に正確に対応したＲ、Ｇ、Ｂの画像データを出力する。増幅器（ＡＭＰ）３９は、ＣＤＳ３８から出力された画像データを、所定のゲインで増幅する。Ａ／Ｄ変換器（Ａ／Ｄ）４０は、ＡＭＰ３９で増幅されたアナログの画像データを、デジタルの画像データに変換する。
【００２３】
画像入力コントローラ４１は、バス４２を介してＣＰＵ３３に接続され、ＣＰＵ３３の制御命令に応じて、ＣＣＤ３６、ＣＤＳ３８、ＡＭＰ３９、およびＡ／Ｄ４０を制御する。Ａ／Ｄ４０から出力された画像データは、ＳＤＲＡＭ４３に一時記録される。
【００２４】
画像信号処理回路４４は、ＳＤＲＡＭ４３から画像データを読み出して、階調変換、ホワイトバランス補正、γ補正処理などの各種画像処理を施し、この画像データを再度ＳＤＲＡＭ４３に記録する。ＹＣ変換処理回路４５は、画像信号処理回路４４で各種処理を施された画像データをＳＤＲＡＭ４３から読み出し、輝度信号Ｙと色差信号Ｃｒ、Ｃｂとに変換する。
【００２５】
ＶＲＡＭ４６は、ＬＣＤ１９にスルー画像を出力するためのメモリであり、画像信号処理回路４４、ＹＣ変換処理回路４５を経た画像データを格納する。ＶＲＡＭ４６には、画像データの書き込みと読み出しを並行して行えるように、２フレーム分のメモリ４６ａ、４６ｂが確保されている。ＶＲＡＭ４６に格納された画像データは、ＬＣＤドライバ４７でアナログのコンポジット信号に変換され、ＬＣＤ１９にスルー画像として表示される。
【００２６】
圧縮伸長処理回路４８は、ＹＣ変換処理回路４５でＹＣ変換された画像データに対して、所定の圧縮形式（例えばＪＰＥＧ形式）で画像圧縮を施す。圧縮された画像データは、メディアコントローラ４９を経由してメモリカード５０に記憶される。
【００２７】
ＣＰＵ３３には、前述のレリーズボタン１５、操作部２０の他に、角速度センサ５１、およびＥＥＰＲＯＭ５２が接続されている。角速度センサ５１は、例えば、レンズ鏡胴１１内部に埋設されており、撮影時の手ブレの大きさとその方向を検出し、検出結果をＣＰＵ３３に送信する。ＥＥＰＲＯＭ５２には、各種制御用のプログラムや設定情報などが記録されている。ＣＰＵ３３は、これらの情報をＥＥＰＲＯＭ５２から作業用メモリであるＳＤＲＡＭ４３に読み出して、各種処理を実行する。
【００２８】
バス４２には、露出量、すなわち電子シャッタのシャッタ速度、および絞り３１の絞り値が撮影に適切か否かを検出するとともに、ホワイトバランスが撮影に適切か否かを検出するＡＥ／ＡＷＢ検出回路５３、撮像レンズ１０の焦点調整が撮影に適切か否かを検出するＡＦ検出回路５４、ブレ判定回路５５、ブレ補正回路５６、および照明装置１４の動作を制御する照明制御回路５７が接続されている。
【００２９】
ＡＥ／ＡＷＢ検出回路５３は、ＹＣ変換処理回路４５でＹＣ変換された画像データの輝度信号Ｙと色差信号Ｃｒ、Ｃｂとの積算値を元に、露出量、およびホワイトバランスの適否を検出し、この検出結果をＣＰＵ３３に送信する。ＡＦ検出回路５４は、Ａ／Ｄ４０でデジタル化された画像データから画像の鮮鋭度を表すフォーカス評価値を算出し、この算出結果をＣＰＵ３３に送信する。ＣＰＵ３３は、ＡＥ／ＡＷＢ検出回路５３、ＡＦ検出回路５４から送信された検出結果に基づいて、撮像レンズ１０、絞り３１、およびＣＣＤ３６の動作を制御する。
【００３０】
ブレ判定回路５５は、角速度センサ５１で検出した手ブレの程度が、ブレ補正回路５６でブレ補正を施すことが可能な範囲にあるか否かを判定する。具体的には、ブレ補正回路５６で効果的なブレ補正を施すことができる手ブレの程度の範囲を実験や経験則により予め求め、このデータをＥＥＰＲＯＭ５２に格納しておく。そして、格納されたデータに則った判定をブレ判定回路５５に行わせる。
【００３１】
ブレ補正回路５６は、ブレ判定回路５５でブレ補正が可能であると判定され、手ブレに起因する像ブレが発生した画像データに対して、手ブレの程度やシャッタ速度などの撮影条件を参照しながら、像ブレが目立たない自然な画像となるようにブレ補正を施す。
【００３２】
照明制御回路５７は、被写体輝度が低いときに自動的に照明装置１４を発光させる自動発光モード、被写体輝度に関わらず照明装置１４を発光させる強制発光モード、照明装置１４の発光を禁止する発光禁止モード、赤目現象を軽減させる赤目軽減モードなどの種々の発光モードにて、照明装置１４の点灯・消灯を制御する。
【００３３】
また、図４に示すように、照明制御回路５７は、角速度センサ５１で検出した手ブレの程度が「小」のときは、（Ａ）のように、中心のＬＥＤ１３のみを点灯させ（図中斜線で示す。）、手ブレの程度が「中」のときは、（Ｂ）のように、四隅を除く４個のＬＥＤ１３を点灯させる。また、手ブレの程度が「大」のときは、（Ｃ）のように、９個全てのＬＥＤ１３を点灯させる。照明制御回路５７は、レリーズボタン１５が半押しされたときに、上記のようなブレの状態の表示を照明装置１４に行わせる。なお、表示パターンを切り替えるブレの程度の目安は、デジタルカメラ２の出荷時に適宜設定される。
【００３４】
次に、上記構成を有するデジタルカメラ２の動作について、図５のフローチャートを参照して説明する。まず、デジタルカメラ２で被写体の撮影を行う際には、電源スイッチを操作してデジタルカメラ２の電源を投入し、モードダイヤル１６を操作して静止画撮影モード、あるいは動画撮影モードを選択する。
【００３５】
撮影モード下において、撮像レンズ１０、絞り３１を介して入射した被写体光は、ＣＣＤ３６により光電変換され、ＣＤＳ３８でサンプリングされる。ＣＤＳ３８から出力された画像データは、ＡＭＰ３９で増幅され、Ａ／Ｄ４０でデジタルの画像データに変換される。
【００３６】
デジタル変換された画像データは、画像信号処理回路４４で各種画像処理が施された後、画像入力コントローラ４１を介してＳＤＲＡＭ４３に順次記録される。ＳＤＲＡＭ４３に記録された画像データは、ＹＣ変換処理回路４５に読み出され、輝度信号Ｙと色差信号Ｃｒ、Ｃｂとに変換された後、ＶＲＡＭ４６に格納され、ＬＣＤドライバ４７を介してＬＣＤ１９にスルー画像として表示される。この状態でレリーズボタン１５が半押しされると、ＡＥ／ＡＷＢ検出回路５３、ＡＦ検出回路５４の検出結果に基づいて、ＣＰＵ３３により各部の動作が制御され、撮影準備処理が施される。
【００３７】
撮影準備処理後、レリーズボタン１５の全押しにより撮影が実行されると、静止画撮影モード下では、そのときＳＤＲＡＭ４３に記録されている画像データが圧縮伸長処理回路４８で圧縮処理され、メディアコントローラ４９を経由してメモリカード５０に記憶される。
【００３８】
一方、動画撮影モード下では、レリーズボタン１５が再度全押しされるまで、一定のフレームレート（例えば３０フレーム／秒）で画像データが記憶される。また、これと同時にマイクロホンを介して周囲の音声が収録される。マイクロホンで収録された音声は、画像データと関連付けられてメモリカード５０に記憶される。
【００３９】
図５において、撮影モード下では、角速度センサ５１により手ブレの程度が検出され、この検出結果がＣＰＵ３３に逐次送信されている。ブレ判定回路５５では、角速度センサ５１の検出結果、つまり手ブレの程度が、ブレ補正回路５６でブレ補正を施すことが可能か否かの判定が行われる。
【００４０】
ブレ判定回路５５でブレ補正が不可能であると判定された場合は、レリーズボタン１５が半押しされたことを契機に、照明制御回路５７により、角速度センサ５１で検出した手ブレの程度に応じた表示パターンでＬＥＤ１３が点灯される。すなわち、手ブレの程度が「小」のときは、中心のＬＥＤ１３のみが点灯され、手ブレの程度が「中」のときは、四隅を除く４個のＬＥＤ１３が点灯される。また、手ブレの程度が「大」のときは、９個全てのＬＥＤ１３が点灯される。
【００４１】
一方、ブレ判定回路５５でブレ補正が可能であると判定された場合は、ブレ補正回路５６で画像データに対してブレ補正が施される。この場合は、レリーズボタン１５が半押しされたときも、照明制御回路５７によりＬＥＤ１３は消灯されたままとなる。
【００４２】
照明装置１４にて被撮影者にブレの状態が告知された後は、撮影準備処理が施され、レリーズボタン１５の全押しにより画像データがメモリカード５０に記憶されて、一枚の画像の撮影が終了する。これら一連の処理は、モードが移行されるか、電源がオフされるまで続けられる。
【００４３】
以上説明したように、デジタルカメラ２は、被写体に撮影補助光を照射する照明装置１４で、撮影前にブレの状態を表示するようにしたので、カメラの操作に不慣れな初心者に撮影を依頼した場合でも、被撮影者が撮影者に注意を促すことができ、撮影の失敗を未然に防ぐことができる。
【００４４】
また、ブレ判定回路５５でブレ補正が不可能であると判定された場合に、レリーズボタン１５が半押しされるまでＬＥＤ１３が点灯されないので、ＬＥＤ１３の点灯による消費電力を最小限に抑えることができる。さらに、角速度センサ５１で検出した手ブレの程度に応じて、照明装置１４による判定結果の表示パターンを変化させるので、撮影に関してのより的確なアドバイスを、被撮影者が撮影者に与えることができる。
【００４５】
本発明の第２の実施形態を示す図６において、デジタルカメラ６０は、角速度センサ５１で検出した手ブレの程度から、画像データで表される画像に発生する像ブレの程度を算出する像ブレ算出回路６１を備えている。像ブレ算出回路６１は、例えば、ＥＥＰＲＯＭ５２に予め格納された手ブレの程度と像ブレの程度の対応関係を表すデータ、角速度センサ５１で検出した手ブレの程度、および撮影準備処理におけるシャッタ速度などに基づいて、画像に発生する像ブレの程度を予測演算する。あるいは、手ブレの程度と像ブレの程度のデータを蓄積しておき、これを参照して像ブレの程度を算出する。
【００４６】
ブレ判定回路６２は、像ブレ算出回路６１で算出した像ブレの程度が、ブレ補正回路５６でブレ補正を施すことが可能な範囲にあるか否かを判定する。具体的には、第１の実施形態のブレ判定回路５５と同様に、ブレ補正回路５６で効果的なブレ補正を施すことができる像ブレの程度の範囲を実験や経験則により予め求め、このデータをＥＥＰＲＯＭ５２に格納しておく。そして、格納されたデータに則った判定をブレ判定回路６２に行わせる。
【００４７】
図７に示すように、照明制御回路６３は、ブレ判定回路６２でブレ補正が可能であると判定された場合は、（Ａ）のように、四隅の４個のＬＥＤ１３を点灯させる（以下、表示パターン１と表記する）。一方、ブレ判定回路６２でブレ補正が不可能であると判定された場合は、（Ｂ）のように、９個全てのＬＥＤ１３を点灯させる（以下、表示パターン２と表記する）。
【００４８】
デジタルカメラ６０の撮影モード下における処理手順を示す図８において、撮影モード下では、角速度センサ５１により手ブレの程度が検出され、この検出結果がＣＰＵ３３に逐次送信されている。レリーズボタン１５の半押しにより撮影準備処理が施された後、レリーズボタン１５が全押しされると、像ブレ算出回路６１で像ブレの程度が算出される。ブレ判定回路６２では、像ブレ算出回路６１で算出した像ブレの程度が、ブレ補正回路５６でブレ補正を施すことが可能な範囲にあるか否かが判定される。
【００４９】
ブレ判定回路６２でブレ補正が不可能であると判定された場合は、照明制御回路６３により、表示パターン２でＬＥＤ１３が点灯される。
【００５０】
一方、ブレ判定回路６２でブレ補正が可能であると判定された場合は、ブレ補正回路５６で画像データに対してブレ補正が施される。そして、照明制御回路６３により、表示パターン１でＬＥＤ１３が点灯される。
【００５１】
照明装置１４により被撮影者にブレの状態が告知された後は、画像データがメモリカード５０に記憶されて、一枚の画像の撮影が終了する。これら一連の処理は、モードが移行されるか、電源がオフされるまで続けられる。なお、デジタルカメラ６０の他の構成および作用は、デジタルカメラ２と同様であるので、同一の部品には同一の符号を付し、説明を省略する。
【００５２】
上記のように、デジタルカメラ６０は、被写体に撮影補助光を照射する照明装置１４で、撮影後にブレの状態を表示するようにしたので、撮影を失敗した場合でも、その場で被撮影者が撮影者に撮り直しを促すことができる。
【００５３】
なお、上記実施形態で例示したＬＥＤ１３の個数、配列、表示パターンなどは一例であり、本発明を特に限定するものではない。また、照明手段として、白色光を発するＬＥＤ１３が配列された照明装置１４を例に挙げて説明したが、キセノン管を利用したストロボ装置などを用いてもよい。この場合、表示パターンは、発光回数や光量で変化させる。
【００５４】
上記実施形態では、撮像装置として、デジタルカメラ２、６０を例示して説明したが、本発明はこれに限定されず、他の撮像装置、例えば、カメラ付き携帯電話などにも適用することができる。
【図面の簡単な説明】
【００５５】
【図１】本発明の第１の実施形態を適用したデジタルカメラの正面外観斜視図である。
【図２】デジタルカメラの背面外観斜視図である。
【図３】デジタルカメラの電気的構成を示すブロック図である。
【図４】照明装置の表示パターンを示す図であり、（Ａ）はブレの程度が「小」、（Ｂ）は「中」、（Ｃ）は「大」の場合をそれぞれ示す。
【図５】撮影モード下におけるデジタルカメラの処理手順を示すフローチャートである。
【図６】本発明の第２の実施形態を適用したデジタルカメラの電気的構成を示すブロック図である。
【図７】照明装置の表示パターンを示す図であり、（Ａ）は像ブレの程度がブレ補正可能な範囲内にあるとき、（Ｂ）は範囲外にあるときをそれぞれ示す。
【図８】撮影モード下におけるデジタルカメラの処理手順を示すフローチャートである。
【符号の説明】
【００５６】
２、６０  デジタルカメラ
１０  撮像レンズ
１３  ＬＥＤ
１４  照明装置
１５  レリーズボタン
１９  液晶表示器（ＬＣＤ）
３３  ＣＰＵ
３６  ＣＣＤ
５０  メモリカード
５１  角速度センサ
５５、６２  ブレ判定回路
５６  ブレ補正回路
５７、６３  照明制御回路
【図１】
2007028546.tif 000003
【図２】
2007028546.tif 000004
【図３】
2007028546.tif 000005
【図４】
2007028546.tif 000006
【図５】
2007028546.tif 000007
【図６】
2007028546.tif 000008
【図７】
2007028546.tif 000009
【図８】
2007028546.tif 000010